(57)【要約】      （修正有）【課題】保管に要するスペースが小さく、組み立ても簡単で、しかも使用性も良好な新規な簡易ベッドを提供する。【解決手段】段ボールシートを素材とする組み立て式の簡易ベッド１であり、天板部２をなす天板用シート２０の一面に天板部２を支持するための脚部３をなす脚部用シート３０が積層された第一シートＩと、脚部３を補強するための第二シートＩＩと、を具備してなるものとし、第一シートＩにおける脚部用シート３０が中央から観音開き式に開かれて向かい合う一対ないし複数対の脚部３をなし、脚部３の対に第二シートＩＩが架橋するように組み付けられることによって組み立てられる仕組みとする。【選択図】図１
0003229660.tif 000002
【実用新案登録請求の範囲】
【請求項１】
段ボールシートを素材とする組み立て式の簡易ベッドであって、
天板部をなす天板用シートの一面に前記天板部を支持するための脚部をなす脚部用シートが積層された第一シートと、
前記脚部を補強するための第二シートと、
を具備してなり、
前記第一シートにおける脚部用シートが中央から観音開き式に開かれて向かい合う一対ないし複数対の脚部をなし、
前記脚部の対に前記第二シートが架橋するように組み付けられることによって組み立てられる仕組みとなされたことを特徴とする簡易ベッド。
【請求項２】
請求項１に記載の簡易ベッドにおいて、
前記第一シートが折り畳めるように、前記天板用シート又は前記脚部用シートのいずれか少なくとも一方に折線となる切り溝が設けられてなる簡易ベッド。
【請求項３】
請求項１又は２に記載の簡易ベッドにおいて、
前記脚部を観音開き式に開く際のヒンジラインに沿って切り溝が設けられてなる簡易ベッド。
【請求項４】
請求項２又は３に記載の簡易ベッドにおいて、
前記切り溝が溝底から溝上部に向かって末広がりの断面形状を有するＶカット溝である簡易ベッド。
【考案の詳細な説明】
【技術分野】
【０００１】
本考案は、段ボールシートを素材とする組み立て式の簡易ベッドに関する。
【背景技術】
【０００２】
従来、災害発生時における学校体育館などへの避難の際、被災者は床上での雑魚寝を余儀なくされていたが、最近では、避難生活の質を向上させるべく、各避難所に簡易ベッドが準備されてきている。
【０００３】
この種の簡易ベッドとしては、まず、安価で丈夫であり、且つ、平常時における保管に要するスペースが小さいことが要求される。
そのため前記簡易ベッドとしては、段ボールシートを素材とする組み立て式のものが多く提案されている（例えば、下記特許文献１参照。）。
【先行技術文献】
【特許文献】
【０００４】
【特許文献１】特開２０１２‐２３５８１９号公報
【考案の概要】
【考案が解決しようとする課題】
【０００５】
前記特許文献１において開示された簡易ベッドは、段ボールシートに設けられたスリットを咬み合わせることによって井桁状に組まれた土台上に、段ボールシートからなる天板を設置することによって組み立てられる仕組みとなされている。この様な簡易ベッドは、組み立てに要するパーツ（段ボールシート）全部が平面であることから保管性に優れ、又、土台上に天板を設置する高床式の構造であることから床からの冷気が遮られ、非常に使用感の高いものとなっている。
【０００６】
しかしながら、前記特許文献１において開示された簡易ベッドには、土台と天板とが別体であることに起因する不安定さがあった。
【０００７】
本考案は前記技術的課題に鑑みて開発されたものであり、保管に要するスペースが小さく、組み立ても簡単で、しかも使用時の安定感も良好な新規な簡易ベッドを提供することを目的とする。
【課題を解決するための手段】
【０００８】
前記技術的課題を解決する本考案の簡易ベッドは、段ボールシートを素材とする組み立て式の簡易ベッドであって、天板部をなす天板用シートの一面に前記天板部を支持するための脚部をなす脚部用シートが積層された第一シートと、前記脚部を補強するための第二シートと、を具備してなり、前記第一シートにおける脚部用シートが中央から観音開き式に開かれて向かい合う一対ないし複数対の脚部をなし、前記脚部の対に前記第二シートが架橋するように組み付けられることによって組み立てられる仕組みとなされたことを特徴とする（以下、「本考案ベッド」と称する。）。
【０００９】
前記本考案ベッドにおいては、前記第一シートが折り畳めるように、前記天板用シート又は前記脚部用シートのいずれか少なくとも一方に折線となる切り溝が設けられてなるものが好ましい態様となる。
【００１０】
前記本考案ベッドにおいては、前記脚部を観音開き式に開く際のヒンジラインに沿って切り溝が設けられてなるものが好ましい態様となる。
【００１１】
前記本考案ベッドにおいては、前記切り溝が溝底から溝上部に向かって末広がりの断面形状を有するＶカット溝であるものが好ましい態様となる。
【考案の効果】
【００１２】
本考案によれば、保管性、組み立て性、及び、使用性が良好となる。
【図面の簡単な説明】
【００１３】
【図１】図１は、本考案ベッドの一実施形態を部分的に拡大して示す斜視図である。
【図２】図２（ａ）は、前記本考案ベッドの第一シートを部分的に拡大して示す斜視図であり、図２（ｂ）は、前記本考案ベッドの第二シートを示す正面図である。
【図３】図３（ａ）、（ｂ）は、前記第一シートから脚部を形成する様子を段階的に示す斜視図である。
【図４】図４（ａ）、（ｂ）は、前記第一シートを折り畳む様子を段階的に示す斜視図である。
【図５】図５は、前記脚部に前記第二シートを組み付ける様子を示す斜視図である。
【考案を実施するための形態】
【００１４】
以下、本考案の実施形態を説明するが、本考案はこれらの実施形態に限定されるものではない。
【００１５】
＜本考案ベッド１＞
図１、図２に、本考案ベッド１の一実施形態を示す。本考案ベッド１は、「第一シート（Ｉ）」と、「第二シート（ＩＩ）」と、を具備する。
【００１６】
‐第一シート（Ｉ）‐
前記第一シート（Ｉ）は、「天板用シート（２０）」の一面に「脚部用シート（３０）」が積層された積層シートである。
【００１７】
・天板用シート２０
前記天板用シート２０は、前記本考案ベッド１の天板部２をなす役割を担う。本実施形態において前記天板用シート２０は、三枚のライナー（平らな紙）の間に、二枚のメディアム（波状の紙）が各々挟まれた二層構造を有する市販の段ボールシート（厚さ１０ｍｍ  商品名：ハイプルエース）を略矩形（９００ｍｍ×１８０ｍｍ）に切断したものである。
【００１８】
・脚部用シート３０
前記脚部用シート３０は、前記天板部２を支持するための脚部３をなす役割を担う。本実施形態における前記脚部用シート３０は、前記天板用シート２０と同様の市販の段ボールシートを略矩形（９００ｍｍ×１８０ｍｍ）に切断した全体形状を有する。前記脚部用シート３０は、周縁部分のみが前記天板用シート２０に対して接着固定されており、図３（ａ）に示すように前記脚部３をなす内方の部分はヒンジライン４を中心として揺動可能な仕組みとなされている。即ち、本実施形態において前記脚部用シート３０は、中央から観音開き式に開かれて向かい合う複数対（本実施形態においては二対）の脚部３をなす仕組みとなされている。又、前記脚部３には、中央から前記ヒンジライン４に向かって複数条の脚部側スリット（Ｓ１）が設けられている。
【００１９】
なお、本実施形態においては前記ヒンジライン４につき、前記脚部用シート３０の表面を長さ方向に沿ってＶ字状に掘り欠いて形成した切り溝（Ｖカット溝）によって構築している。又、本実施形態においては、前記脚部用シート３０の中央、幅方向に沿って同様の切り溝（Ｖカット溝）を設けることによって折線５を設け、前記脚部用シート３０につき、図４に示すように前記折線５に沿って二つ折り可能な仕組みとしている。
【００２０】
‐第二シート（ＩＩ）‐
前記第二シート（ＩＩ）は、前記脚部を補強する役割を担う。本実施形態における前記第二シート（ＩＩ）は、前記天板用シート２０や前記脚部用シート３０と同様の市販の段ボールシートを略矩形（３４０ｍｍ×９００ｍｍ）に切断した全体形状を有する（図２（ｂ）参照）。なお、前記第二シート（ＩＩ）には、長辺側の端部から内方に向かって二条の補強側スリット（Ｓ２）が設けられている。前記補強側スリット（Ｓ２）の間隔は、対になる前記脚部３同士の間隔と等しい寸法となされている。又、前記第二シート（ＩＩ）の長辺における二条の前記補強側スリット（Ｓ２）に挟まれた部分は、前記脚部用シート３０の厚さ分（Ｄ：１０ｍｍ）突出している。
【００２１】
前記構成を有する本考案ベッド１は、段ボールシートを素材とする組み立て式の簡易ベッドである。図５に示すように、前記本考案ベッド１は、前記第一シート（Ｉ）における前記脚部用シート３０が中央から観音開き式に開かれて向かい合う脚部３をなし、前記脚部３の対に前記第二シート（ＩＩ）が架橋するように組み付けられることによって組み立てられる。本実施形態においては、前記脚部３に対する前記第二シート（ＩＩ）の組み付けにつき、前記脚部３に設けられた脚部側スリット（Ｓ１）に、前記第二シート（ＩＩ）に設けられた補強側スリット（Ｓ２）を咬み合わせることによって実行した。この際、前記第二シート（ＩＩ）の長辺における二条の前記補強側スリット（Ｓ２）に挟まれた部分を前記天板用シート２０の裏面に当接させ、前記補強側スリット（Ｓ２）の外側の部分を前記脚部用シート３０の裏面に当接させた。
【００２２】
即ち、前記本考案ベッド１は、シート状の前記第一シート（Ｉ）とシート状の前記第二シート（ＩＩ）によって構築されることから、ベッドとして使用しない場合には平面の状態で保管できる。
【００２３】
又、前記本考案ベッド１の組み立ては、前記第一シート（Ｉ）から前記脚部３を観音開き式に起き上がらせ、前記脚部３に前記第二シート（２）を組み付けるだけであり、組み立て作業が非常に簡単に行える。
【００２４】
更に、前記本考案ベッド１は、前記第一シート（Ｉ）において前記天板部２と前記脚部３とが一体化された頑丈な構造を有していることから、ベッドとしての使用時において天板が安定し、使用感に優れたものとなる。
【００２５】
ところで、本実施形態においては、前記第一シート（Ｉ）及び前記第二シート（ＩＩ）を拘置するための段ボールシートにつき、市販の段ボールシート（商品名：ハイプルエース）を用いたが、本考案において前記段ボールシートはベッドとしての使用に耐え得る強度を有するものであれば特に限定されない。
【００２６】
又、本実施形態においては、前記ヒンジライン４につき、前記脚部用シート３０の表面を長さ方向に沿ってＶ字状に掘り欠いて形成した切り溝（Ｖカット溝）によって構築しているが、本考案において前記ヒンジライン４は積極的に設ける必要はない。
【００２７】
更に、本実施形態においては、前記第一シート（Ｉ）に折線５を設けているが、前記折線５は本考案の必須構成要件ではない。但し、前記折線５を設ければ、本考案ベッド１の保管性が向上する。
【００２８】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００２９】
本考案は、災害時における避難所等における簡易ベッドして好適に用いられる。
【符号の説明】
【００３０】
１  本考案ベッド（簡易ベッド）
２  天板部
３  脚部
４  ヒンジライン
５  折線
Ｉ  第一シート
２０  天板用シート
３０  脚部用シート
ＩＩ  第二シート
【図１】
0003229660.tif 000003
【図２】
0003229660.tif 000004
【図３】
0003229660.tif 000005
【図４】
0003229660.tif 000006
【図５】
0003229660.tif 000007